(57)【要約】【課題】  ディスクに有効な送風手段を備えて、光ピックアップレンズの表面の埃を確実に払拭する。【解決手段】  既存のディスクと同大のディスク１に送風手段として花弁状・新月状等の複数の翼形片１０を等間隔に形成する。各翼形片１０は外端部１１がディスク円周の一部を構成するとともに基部１２がディスクのデータゾーン２の外周縁に所定の幅を有して一体であり、回転時に翼形片１０同士の離隔部１３からエアーが光ピックアップレンズ２０に向けて送り込まれる。【選択図】          図１
0003114520.tif 000002
【実用新案登録請求の範囲】
【請求項１】
既存のディスクと同大のディスクに送風手段として花弁状・新月状等の複数の翼形片を等間隔に形成した清掃ディスクであって、各翼形片は外端部がディスク円周の一部を構成するとともに基部がディスクのデータゾーンの外周縁に所定の幅を有して一体となっており、回転時に翼形片同士の離隔部からエアーが光ピックアップレンズに向けて送り込まれることを特徴とする清掃ディスク
【請求項２】
清掃ディスクにおける各翼形片を前傾状に形成して、回転時の風圧発生が効率的となることを特徴とする請求項１に記載の清掃ディスク。
【請求項３】
各翼形片の前後部を傾斜形成して、離隔部に入ったエアーが確実に取り込まれることを特徴とする請求項１又は２に記載の清掃ディスク。
【考案の詳細な説明】
【技術分野】
【０００１】  本考案は、光ピックアップレンズの埃を除去する清掃ディスクに関する。
【背景技術】
【０００２】  ＣＤ・ＭＤ・ＣＤ−ＲＯＭ・ＤＶＤなどの光ピックアップレンズを清掃するための手段として、ディスク本体に清掃体ブラシを取り付け、ディスクの回転に伴ってレンズ表面をブラシ先端が触れることで埃を払拭するとした技術は従来から多数存在する。それらの技術では清掃体が直接レンズに接触するため、接触加減によりレンズ表面に当たらないで所期するほどのクリーニングがなされなかったり、衝撃が強過ぎて信号切断などの不具合を生ずるといった問題、あるいはクリーニング中のブラシの脱落とそれに伴い脱落ブラシが装置内に残ることによるトラブル発生、就中高速回転ドライブにおけるブラシによる衝撃力に起因するレンズの歪み惹起などの懸念も指摘されている。そこで、ディスクに別体である清掃体を取り付けないでレンズのほこりを除去するとした技術が提案されている（例えば特許文献１、特許文献２参照）。
【特許文献１】特開２０００−２１５４８８号公報
【特許文献２】特開２００４−１７８７７８号公報
【考案の開示】
【考案が解決しようとする課題】
【０００３】  特許文献１に記載された技術は、ディスクと同一形状のクリーナー用ディスクと、このクリーナー用ディスクに形成された貫通孔からなるもので、クリーナー用ディスクが回転中に貫通孔より発生する空気流がピックアップレンズに送られるように構成し、レンズに付着した埃が空気流によって吹き飛ばされることを意図している。ところでこのようにディスクに小さな孔を開けただけのものでは孔内に十分な空気が送られるとは考えがたく、ましてレンズ表面に付着した汚れを除去するほどに付勢された空気流は所期されない憾みがある。【０００４】  特許文献２に記載された技術も、ピックアップレンズの表面の埃を無接触で除去しようとすることを意図しており、そのためにクリーニングディスクの回転により発生する風圧を吸入口より取り込み、エアー密度を高めながら噴射口より噴射する形状を形成した通風機構を１つ又は２つ以上設け、エアーを勢いよく噴射させて光ピックアップレンズを無接触で清掃することを特徴としている。【０００５】  上記技術では、通風機構にはエアー吸入口及び信号記録面に接しエアー噴射口を設けているが、エアー吸入口とエアー噴射口の形状は、エアー噴射口に向かってエアーの密度を高める構造、としているのみで、どうしたらエアーの密度が高まる構造であるかの具体的開示がないため、果たして所期する効果が得られるか否かが頗る疑問となる。またエアー噴射口は小さな円形状の孔としているので、特許文献１と同様、十分なエアーがこのような孔からレンズに向かって噴射されるということは確実性に乏しいと考えられる。【０００６】  本考案はこのような従来技術に鑑み、光ピックアップレンズへの十分な送風手段を備えることを特徴としたもので、ディスクに小さな送風孔を設けるとした従来技術とは一線を画し、ディスクの回転そのものがレンズの表面に風圧を及ぼす新規構造のクリーニングディスクを提供しようとするものである。
【課題を解決するための手段】
【０００７】  そのために本考案は、既存のディスクと同大のディスクに送風手段として花弁状・新月状等の複数の翼形片を等間隔に形成した清掃ディスクであって、各翼形片は外端部がディスク円周の一部を構成するとともに基部がディスクのデータゾーンの外周縁に所定の幅を有して一体となっており、回転時に翼形片同士の離隔部からエアーが光ピックアップレンズに向けて送り込まれることを技術手段としている。【０００８】  上記の清掃ディスクは、各翼形片を前傾状に形成して回転時の風圧発生が効率的となることを特徴としている。【０００９】  また各翼形片の前後部を傾斜形成して、離隔部に入ったエアーを確実に取り込むことを特徴としている。
【考案の効果】
【００１０】  ディスクに形成した複数の翼形片によってあたかも風車が回転するように盤面にエアーが発生し、十分な風圧が離隔部に入ってディスクと対面する光ピックアップレンズに風が衝当するのでレンズ表面の埃が払拭される。【００１１】  翼形片を前傾状とすると回転時の風圧発生の効率がよく、エアーの取り込みが有効になるとともに、各翼形片の前後部を傾斜形成することで離隔部内にエアーが勢いを減ずることなく確実に導入され、しかも従来のブラシを用いたクリーナーと異なり直接レンズ表面を傷つけたり信号切断のおそれがなく安心して使用できる。
【考案を実施するための最良の形態】
【００１２】  図面を参照して本考案実施の形態を説明すると、図１に示すディスク１は、既存のディスクすなわちＣＤ・ＤＶＤ等と何ら異ならない大きさで素材も同じものから形成されている。従来の送風式クリーナーディスクは盤面に小孔をあけてそこからエアーを取り込む構成であるが、本考案には小孔がない。本考案は送風手段として複数（図では４か所）の翼形片１０を設けたもので、これらは等間隔に形成されている。（ａ）図では、各翼形片１０が新月状ないし鎌の刃状としてあり、外端部１１はディスク１の円周の一部を構成し、基部１２はディスク１のデータゾーン２の外周縁に所定の幅を有して一体となっている。【００１３】  等間隔に形成した翼形片１０相互間には離隔部１３が存在する。この離隔部１３の接線の中心は、ディスク１のセンターホール３の中心とは位置ずれさせることで回転時の風圧が一層効率よいものとなる。そして翼形片１０は矢指のように回転するディスク１に前傾状に配置され、このような構成とすることで付勢されたエアーが離隔部１３内に送り込まれる。【００１４】  各翼形片１０の前後部は図（ｂ）のようにディスク１が矢指のように回転する際に、離隔部１３に入ったエアーを効率よく取り込むことができるように傾斜形成する。つまり隣接する翼形片１０の前部と後部は対称的な傾斜面とすることがよく、この場合当然ながら前部のエアー入口側を鋭角とし、後部を鈍角に形成する。【００１５】  かくして離隔部１３に導入されたエアーは、ディスク１の下面に位置する光ピックアップレンズ２０の表面に衝当してレンズ表面に付着した埃を吹き払いレンズ２０はクリーニングされる。上記のように従来品の小孔と異なり、ディスク盤面には翼形片１０によって強力にエアーの発生が所期されるとともに離隔部１３が十分にエアーを導入するので、ブラシでレンズを払拭するような接触過度による弊害もなくて良好なクリーニングを行うことができる。【００１６】  図２は、翼形片１０を花弁状に形成した他の例を示したもので、この例のように隣接する翼形片１０の基部１２同士を近接させて形成しても第１の例と同様の効果を得られ、また図３は翼形片１０を略扇形状に形成し、隣接する翼形片１０同士の間の離隔部１３が平行状となっているが、この例では離隔部１３の間隔が狭い分、多数個所に形成できることとなる。図２及び図３における符号は図１と同一部分を示す。【００１７】  なお図示した翼形片１０は一例であり、本考案は翼形片の構造・個数は当然として、離隔部の形状等、本考案の目的効果を奏する範囲における変更も本考案の自由な実施の範疇に属すること勿論である。
【図面の簡単な説明】
【００１８】
【図１】  本考案の一例を示す説明図である。
【図２】  翼形片を花弁状とした本考案の他の例を示す説明図である。
【図３】  翼形片を扇形状とした本考案の他の例を示す説明図である。
【符号の説明】
【００１９】  １    ディスク
２    データゾーン
３    センターホール
１０  翼形片
１１  外端部
１２  基部
１３  離隔部
２０  光ピックアップレンズ
【図１】
0003114520.tif 000003
【図２】
0003114520.tif 000004
【図３】
0003114520.tif 000005
【手続補正書】
【提出日】平成17年6月24日(2005.6.24)
【手続補正１】
【補正対象書類名】実用新案登録請求の範囲
【補正対象項目名】全文
【補正方法】変更
【補正の内容】
【実用新案登録請求の範囲】
【請求項１】
ディスクに送風手段として花弁状・新月状等の複数の翼形片を等間隔に形成した清掃ディスクであって、各翼形片は外端部がディスク円周の一部を構成するとともに基部がディスクのデータゾーンの外周縁に所定の幅を有して一体となっており、回転時に翼形片同士の離隔部からエアーが光ピックアップレンズに向けて送り込まれることを特徴とする清掃ディスク。
【請求項２】
清掃ディスクにおける各翼形片を前傾状に形成して、回転時の風圧発生が効率的となることを特徴とする請求項１に記載の清掃ディスク。
【請求項３】
各翼形片の前後部を傾斜形成して、離隔部に入ったエアーが確実に取り込まれることを特徴とする請求項１又は２に記載の清掃ディスク。